(57)【特許請求の範囲】
【請求項１】
二次電池を含むパック電池が異常状態になったときにオフからオンに切り換えられるスイッチング素子と、
このスイッチング素子と電池に直列に接続されて、スイッチング素子がオンになると電流が流れる加熱抵抗と、
電流が流れる加熱抵抗に加熱される位置に配設されると共に、電池と直列に接続されて、電流が流れて高温になる加熱抵抗に熱溶断されて電池に流れる電流を遮断するヒューズとを備えるパック電池において、
前記異常状態になったとき、前記二次電池が所定容量未満又は所定電圧未満であるときは、前記二次電池が前記所定容量、前記所定電圧に到達するまで充電を行った後、前記ヒューズを熱溶断することを特徴とするパック電池の制御方法。
【請求項２】
二次電池と、この二次電池と直列に接続されたヒューズと、前記電池を含むパック電池の異常状態を検出する制御手段とを備えるパック電池において、  前記制御手段が前記異常状態を検出したとき、前記二次電池を放電し、この放電電流により前記ヒューズを溶断するパック電池の制御方法であって、
前記異常状態になったとき、前記二次電池が所定容量未満又は所定電圧未満であるときは、前記二次電池が前記所定容量、前記所定電圧に到達するまで充電を行った後、前記ヒューズを熱溶断することを特徴とするパック電池の制御方法。
【発明の詳細な説明】
【技術分野】
【０００１】
本発明は、パック電池の制御方法に関する。
【背景技術】
【０００２】
下記特許文献１、文献２(特開２０００−３４０２６７号)には、種々の電池異常の検出について開示され、二次電池が劣化したり、各電池の特性が大きくばらついたり、またはいずれかの電池が短絡している等、正常に使用できない状態となっていることを検出して、電池に直列に接続されたヒューズを、該ヒューズを加熱できる位置に配設された加熱抵抗に電流を通電させることにより、熱溶断して、パック電池を使用できなくすることが記載されている。また、特許文献２においては、加熱抵抗に流れる電流を定電流に制御して、加熱する電流を最適にすることが記載されている。
【特許文献１】特開平９−２６１８８３号
【特許文献２】特開２０００−３４０２６７号
【発明の開示】
【発明が解決しようとする課題】
【０００３】
このようなパック電池において、電池異常時に、加熱抵抗に電流を通電させてヒューズを熱溶断するとき、電池電圧が低いときには、十分な電流を加熱抵抗に通電されず、よって、十分な加熱が行われなく、ヒューズを熱溶断できないことがあった。
【０００４】
本発明は、このような問題点を解決するために成されたものであり、ヒューズの熱溶断を確実に行うパック電池の制御方法を提供することを目的とする。
【課題を解決するための手段】
【０００５】
本発明は、二次電池を含むパック電池が異常状態になったときにオフからオンに切り換えられるスイッチング素子と、このスイッチング素子と電池に直列に接続されて、スイッチング素子がオンになると電流が流れる加熱抵抗と、電流が流れる加熱抵抗に加熱される位置に配設されると共に、電池と直列に接続されて、電流が流れて高温になる加熱抵抗に熱溶断されて電池に流れる電流を遮断するヒューズとを備えるパック電池において、前記異常状態になったとき、前記二次電池が所定容量未満又は所定電圧未満であるときは、前記二次電池が前記所定容量、前記所定電圧に到達するまで充電を行った後、前記ヒューズを熱溶断することを特徴とする。
【０００６】
また、本発明は、二次電池と、この二次電池と直列に接続されたヒューズと、前記電池を含むパック電池の異常状態を検出する制御手段とを備えるパック電池において、  前記制御手段が前記異常状態を検出したとき、前記二次電池を放電し、この放電電流により前記ヒューズを溶断するパック電池の制御方法であって、前記異常状態になったとき、前記二次電池が所定容量未満又は所定電圧未満であるときは、前記二次電池が前記所定容量、前記所定電圧に到達するまで充電を行った後、前記ヒューズを熱溶断することを特徴とする。
【発明の効果】
【０００７】
本発明においては、前記異常状態になったとき、前記二次電池が所定容量未満又は所定電圧未満であるときは、前記二次電池が前記所定容量、所定電圧未満に到達するまで充電を行った後、前記ヒューズを溶断するので、ヒューズを確実に溶断することができる。
【発明を実施するための最良の形態】
【０００８】
本発明の実施例を、図を用いて詳細に説明する。図１に示すように、本実施例においては、パック電池Ａと、これを充電する電源を備える電子機器である携帯機器ＰＣとを備えている。携帯機器ＰＣは、ノート型のような携帯型パーソナルコンピュータである。パック電池Ａは、通常、携帯機器ＰＣに着脱自在に装着される構造である。携帯機器ＰＣには、コンセントからの交流商用電力を直流電力に変換するアダプター（図示せず）から出力される直流電力が供給され、この電力を制御し、供給するマイコンを内蔵する制御・電源手段Ｓを備えている。制御・電源手段Ｓからの電力出力は、パック電池Ａを充電するのに利用されたり、携帯機器ＰＣの負荷Ｌに電力供給される。また、商用電力より電力供給がない場合は、パック電池Ａより電力が供給され、電源回路Ｓ及び負荷Ｌを駆動させる。
【０００９】
パック電池Ａにおいては、リチウムイオン電池又はニッケル水素電池等の二次電池１と、電池１の充放電時の電流を検出する抵抗等からなる電流検出部２と、電池１の充放電を監視、制御するマイクロプロセッサーユニット(以下、ＭＰＵと記す）とを備えている。また、パック電池Ａ内には、電池１に密接して配置されたサーミスタを含む温度検出部３が設けられている。
【００１０】
本実施例においては、電池１は図示されるように、電池セル11,12,13、電池セル21,22,23、電池セル31,32,33を、３並列に電気接続して、ブロックＰ１、Ｐ２、Ｐ３とし、これらブロックＰ１、Ｐ２、Ｐ３を直列接続している。このような電気接続においては、電池セルの正極、負極に平板状金属片であるタブをスポット溶接等により接続して、電気接続している。電池セルには、リチウムイオン２次電池の場合は、約2000mAh/セル程度の容量のものを使用する。
【００１１】
ＭＰＵにおいては、トータル電池電圧(測定箇所ｄ)、各ブロックＰ１〜Ｐ３の電圧、電流検出部２からの出力、温度検出部３からの出力のアナログ電圧が入力され、デジタル変換し、実電圧［mV］や実電流値［mA］等に換算するＡ／Ｄ変換部４が設けられている。そして、Ａ／Ｄ変換部４からの出力が、制御手段としての充放電制御・演算部５に入力されて、演算、比較、判定等が行われて、この制御・演算部５からの信号で、スイッチングトランジスタ等からなる制御素子７をオンオフ制御する。
【００１２】
つまり、制御・演算部５においては、充放電電流を積算して残容量を演算処理したり、電池１の満充電を検出したり、異常電流、異常温度、異常電圧の検出時等に、充放電を制御する。そして、スイッチングトランジスタ等からなる制御素子７は、オンオフ制御され、異常電流、異常温度、異常電圧の検出時に、制御・演算部５からの制御信号で電流を遮断する。周知技術を利用して、制御・演算部５においては、A/D変換部４によって変換された充放電電流に測定単位時間（例えば、２５０ｍsec）を掛け算した値を積算し、放電時においては満充電から積算量を引き算し、或いは、充電時においては充電開始時の残容量より積算量を加算する。このような演算により、電池１の残容量(Ah)を算出している。このような電流積算の残容量に代わって、測定時点での電圧と、電流と、測定単位時間とを掛け算した値を積算した電力の積算量（Ｗｈ）  を、残容量としても良い。
【００１３】
また、制御・演算部５においては、各種データをメモリーに記録している。ＣＰＵ（Central Processing Unit）を含む制御・演算部５は、種々のメモリーを備えている。パック電池Ａの動作を制御するプログラムを保存するプログラムメモリを備え、プログラムメモリは、不揮発性の記憶媒体である。ＲＯＭ（Read Only Memory）には、プログラムの実行時に必要なデータなどがあらかじめ記憶される。ＲＡＭ（Random Access Memory）は、プログラムの一部や、各種データを一時的に記憶する。この他に、不揮発性メモリとしてＥＥＰＲＯＭ（Electrically Erasable Programmable ＲＯＭ）又はFlashMemoryを備えており、ＥＥＰＲＯＭ又はFlashMemoryには、ＣＰＵに実行させるソフトウェアや設定データや、ＭＰＵのシャットダウンが発生しても保存が必要なデータ（例えば、学習容量、サイクル数、異常時のデータ等）などをシャットダウンより前に記憶するとともに、これらを随時書き換えることが可能となっている。
【００１４】
更には、制御・演算部５においては、各種のタイマー、カウンターを備えており、時間計測、回数の計測等に利用される。
【００１５】
また、制御・演算部５において、満充電の検出については、電池１がニッケル水素電池等の場合は、ピーク電圧を検出したり、電池電圧の−ΔＶ（＝電圧低下）を検出したり、演算された残容量を利用したり等の周知の方法にて検出している。電池１がリチウムイオン電池の場合は、電流、電圧を規制した定電流(MAX電流0.5〜1C程度)・定電圧(MAX4.2V/セル程度)充電を利用し、電圧が所定値以上、電流が所定値以下の条件のとき、満充電とする。満充電を検出したとき、制御・演算部５は残容量を100%とする情報を出力する。満充電の情報は、通信ラインを介して、電子機器に送信されることもできる。
【００１６】
ここで、制御・演算部５は、充電電流、放電電流を遮断するために、制御素子７であって、充電用制御素子としてｐチャネル型FETである充電用FET素子７１、放電用制御素子としてｐチャネル型FETである放電用FET素子７２に対して、オンオフ制御する信号を発する。なお、ｐチャネル型FETに代わって、チャージポンプを利用してｎチャネル型FETの充電用FET素子、放電用FET素子を利用することも可能であり、このときは、後述する予備充電用FET素子７４はｐチャネル型FETを利用する。
【００１７】
制御・演算部５においては、リチウムイオンであるとき電池１の電圧が、過充電電圧以上（例えば、４．２Ｖ以上）になると、充電用FET素子７１をオフ制御するために、オフ信号（素子９１がｐチャネル型FETのゲートに印加するため、オフ信号の電圧は、High電圧の信号に相当する）を、ポートＣＨより発する。また、電池１の電圧が、過放電電圧以下（例えば、２．７Ｖ／Cell以下）になると、放電用FET素子７２をオフ制御するために、オフ信号（素子９２がｐチャネル型FETのゲートに印加するため、オフ信号の電圧は、High電圧の信号に相当する）を、ポートＤＳＣより発する。なお、上述のように、素子７１、７２のｐチャネル型FETのゲートに印加するため、オフ信号の電圧は、High電圧の信号に相当し、オン信号の電圧は、Low電圧の信号に相当する。また、過充電状態においては、制御・演算部５よりポートＣＨにオフ信号が発せられることより、充電は停止される。このときは、携帯機器ＰＣが放電すると、ＤＳＣはオン信号であるので、放電用FET素子７２がオン状態で、オフ状態の充電用FET素子７１の寄生ダイオード７１Ｂを介して、放電できる。また、過放電状態においては、制御部５よりポートＤＳＣにオフ信号が発せられることより、放電は停止される。このときは、携帯機器ＰＣが充電すると、ＣＨはオン信号であるので、充電用FET素子７１がオン状態で、オフ状態の放電用FET素子７２の寄生ダイオード７２Ｂを介して、充電できる。
【００１８】
また、本実施例のパック電池Ａにおいては、リチウムイオン電池１が過放電電圧以下の状態に保持された場合に、上述の通常の充電に代わって、低下させた電流値で予備的に充電を行う予備充電回路７３を備えている。この予備充電回路７３は、充電電流を低下させるための抵抗７５と、制御・演算部５の指示で、ポートＰＣＨからのオンオフ信号で制御される予備充電用FET素子７４を備えている。このような予備充電回路７３により、充電開示時の電池電圧が過放電電圧以下等の場合は、制御・演算部５は、ポートＣＨよりオフ信号を発して充電用FET素子７１をオフ状態として、ポートＰＣＨよりオン信号を発して予備充電用FET素子７４をオン状態とする。このような動作により、携帯機器ＰＣより充電電流が供給されると、充電電流は、抵抗７５にて低減され、オン状態の予備充電用FET素子７４を介して、電池１は充電される。そして、充電開始から所定時間(例えば、90分)以内に、電池電圧が所定値(例えば、3.0V/セル)以上になれば、制御・演算部５は、予備充電用FET素子７４をオフ状態とし、充電用FET素子７１をオン状態として、上述のような通常の充電を行う。また、充電開始から所定時間(例えば、90分)以内に、電池電圧が所定値(例えば、3.0V/セル)未満であれば、電池が劣化して、正常に充電できないとして、異常と判定し、充電を停止する。このような異常の判定結果は、適宜、通信処理により、携帯機器ＰＣ側に伝達される。
【００１９】
また、MPUにおいては、電池電圧、残容量、充放電電流値等の各種の電池情報、各種指令の情報を、携帯機器ＰＣの制御・電源手段Ｓに伝送する通信部９を備えている。パック電池Ａと携帯機器ＰＣとの通信処理は、以下のように、通信部９にて行われる。通信部９は、電池電圧、残容量、充放電電流値等の各種の電池情報を携帯機器ＰＣが受信できる信号データに作成する通信データ作成部と、実際に通信を行うためのドライバ部と備え、残容量を算出するための各種パラメータの記憶や諸々のデータを記憶する為の制御・演算部５内メモリを利用する。また、電子機器からバッテリパックの各種情報の送信要求をドライバ部にて受け、通信データ作成部にて作成されたデータをドライバ部から電子機器に送信する。通信方式としては、周知技術であるＳＭＢｕｓ方式等が利用でき、２つの通信ラインであるデータラインＳＤＡ、クロックラインＳＣＬを介して、データ信号等を送信、受信する機能を備えている。
【００２０】
パック電池Ａは、携帯時等の商用電力を利用できないときに利用されるので、通常、携帯機器ＰＣに商用電力が供給できる場合等は、電池１は満充電に近い状態で保管される。また、停電の発生は、通常、非常に少ないので、電池１の残容量の低下は、電池の自己放電及びパック電池Ａ内の電力消費より発生する。充放電制御・演算部５で、電池１の残容量が、自己放電、回路の電力消費等により、再充電容量に到達したら再充電を開始する。そして、再充電容量は、満充電容量から所定時間あたりの電流値の積算を減算して求めても良く、また、再充電容量に対応した電池電圧より求めても良い。また、再充電容量は、再充電容量を９０％としている。
【００２１】
本実施例においては、制御・演算部５では、以下のように処理して、残容量を得る。制御・演算部５は、電池１を放電して、後述する電池１の総容量である総放電量（＝学習容量）から放電容量を減算して、電池１の残量を電流の積算量又は積算量（Ａｈ）として演算する。また、制御・演算部５においては、放電中、（総容量−積算量）／（総容量）＝残存容量率の関係式より、電池１の残存容量率（％）を演算する。充電容量は、電池１の充電電流の積算量で、あるいはこれに充電効率をかけて演算される。放電容量は、放電電流の積算量、あるいは放電効率を考慮して演算される。積算部５は、電流の積算に代わって、電力の積算量（Ｗｈ）で残量を演算することもできる。電力の積算値は、充電電力から放電電力を減算して演算される。
【００２２】
ここでは、その時点での電池の総容量（＝学習容量）としては、満充電した状態から完全に放電されるまでの放電の積算容量（Ａｈ又はＷｈ）でも、電池１を完全に放電した状態から満充電されるまでの充電の積算容量（Ａｈ又はＷｈ）でもよい。 また、これ以外の方法でも、総容量が得られるのであれば、その時点での電池の総容量としても良い。
【００２３】
放電が進んで、制御・演算部５は、Ａ／Ｄ変換部４から入力される電圧信号で、残量を補正する。Ａ／Ｄ変換部４から、電池１の電圧が第１電圧に到達、低下したことを示す信号が入力されると、制御・演算部５は第1電圧（例えば、リチウムイオン電池３．６Ｖ／セル）に対応して予め設定されている第１残存容量（率）Ｙａ１（例えば、８％）により、算出した残存容量率を補正する。
【００２４】
即ち、第１残存容量Ｙａ１を残存容量８％とすると、制御・演算部５は、算出した残存容量が９％になると、二次電池１  の電池電圧が第１電圧Ｖ１に低下するまで、残存容量として９％を保持する。一方、算出した残存容量が９％以上の場合に、二次電池１の電池電圧が第１電圧Ｖ１に低下すると、その時点で、制御・演算部５は、算出した残存容量の値を８％に補正する。
【００２５】
さらに、放電が進んで、電池１の電圧が所定の放電終止電圧に低下したことを示す信号が入力されると、制御・演算部５は演算した残量を０に補正する。電池電圧が放電終止電圧まで低下すると、電池１の実際の容量は、下限容量として、０になるからである。そして、制御・演算部５は、放電開始から放電終止電圧までの放電電流積算量を、総放電量（＝総容量）として演算、保存する。
【００２６】
そして、制御・演算部５は、総放電量（＝学習容量）の得た後、次の総放電量が得られるまで、この総放電量を利用する。また、第１残存容量（率）に対応した第１電圧に加えて、これより少ない容量（例えば、３％）での第２残存容量（率）に対応した第２電圧でも、算出した残存容量率を補正しても良い。また、上述の残存容量(率)に対応した第1電圧、放電終止電圧等については、電流、温度に依存するので、使用時において電流、温度を基に補正した電圧を利用することも可能である。
【００２７】
本実施例においては、充放電制御・演算部５は、後述する異常状態が検出されたとき、通信処理部９を介して、携帯機器ＰＣ側に通信する。そして、充放電制御・演算部５は、パック電池Ａの使用の中止するために、電池１と直列に設けたヒューズＨ、Ｈを溶断する。このようなヒューズＨ、Ｈを含む抵抗加熱型ヒューズ１０は、一般に販売されているもので、図１に示すように、ヒューズＨ、Ｈの中間点に、並列接続された加熱抵抗Ｒ、Ｒを接続した構造である。そして、斯るヒューズＨ、Ｈを遮断するために、加熱抵抗Ｒ、Ｒ、ヒューズＨ、Ｈに熱的に結合されている。 抵抗加熱型ヒューズ１０と、これに直列接続されたＦＥＴ等のスイッチング素子ＳＷＨからなる遮断回路を、二次電池１の正極側と負極側との間に接続し、充放電制御・演算部５が該スイッチング素子ＳＷＨのゲート信号を制御する構成である。異常状態が検出されたとき、充放電制御・演算部５がスイッチング素子ＳＷＨをオン状態とすると、電池１又は携帯機器ＰＣから加熱抵抗Ｒ、Ｒに加熱のため電流が流れる。よって、加熱抵抗Ｒ、Ｒが発熱し、ヒューズＨ、Ｈが熱溶断する。これにより、これ以後、パック電池Ａの使用をできなくすることができる。
【００２８】
本実施例においては、例えば、以下の異常状態が検出される。しかし、これら以外の異常においても、本発明は利用できる。
【００２９】
＊例えば、温度異常や過電流が検出された場合等において、制御・演算部５が充電用制御素子である充電用FET素子７１、予備充電用FET素子７４をオフとする制御をしているにもかかわらず、携帯機器ＰＣより充電電圧、充電電力が印加された状態で、電流検出部２より充電電流が検出される場合であって、次の場合に、異常と判定する。第1電流値（例えば、１００ｍＡ）以上の電流を、第２検出時間（例えば、９０秒）より短い第１検出時間（例えば、２０秒）の間、検出するとき、異常と判定する。また、所定の電流範囲、即ち、第1電流値未満、第２電流値（例えば、２０ｍＡ）以上の電流を、第1検出時間（例えば、２０秒）より長い第2検出時間（例えば、９０秒）の間、検出するとき、異常と判定する。そして、このような充電用FET素子７１、予備充電用FET素子７４の異常を検出するために、常に、自動的にチェック（＝自己チェック）している。
【００３０】
＊充電中、放電中、電流がないとき（パック電池Ａ単体で放置したとき、ＡＣの商用電力で携帯機器ＰＣを駆動中で電池を使用しないとき）に、温度が所定範囲（０〜６０℃）を外れた場合に、異常と判定する。
【００３１】
＊セル内でショート或いはショートに至る現象（＝マイクロショート）が発生している場合、異常と判定する。放電、充電の電流がないときで、各ブロックセルにおいて、所定時間（１５分〜６０分程度で、例えば、３０分）における電圧の変化が所定値（１０〜５０ｍＶ程度で、例えば、２０ｍＶ）以上のとき、異常と判断する。また、放電、充電中においては、各ブロックセルにおいて、所定時間（例えば、３分間）の電圧変化が５０ｍV以上であり、かつ、他ブロックセルの電圧変化より、略２倍以上変化していると、異常と判断する。
【００３２】
＊充電中、放電中、セルを３並列したブロックＰ１〜Ｐ３を直列した電池１において、ブロックの直列接続が維持された状態で、特定のブロックで１つ又は２つのセルの電気接続が外れる異常（以降、タブ外れ異常という）が発生したとき、異常と判定する。このようなタブ外れ検出の場合は、1.5Aの電流が流れたときに、３並列セルのブロックがタブ外れで２並列セルのブロックになったとすると、１セル当りの電流が大きくなり、大きくなった電流によりセル電圧の変化も大きくなる。例えば、充電、放電中に、セル当りの変化の例として、３並列セルのとき、１セルに500mA、所定時間（例えば、３分間）の電圧変化が45mV以上であるとき、１セルがタブ外れを起したなら、２セルとなって、各セルに増加した大きな電流750mAが流れ、これにより、所定時間（例えば、３分間）の電圧変化も大きな値（例えば、７０ｍＶ）となる。制御・演算部５がこの電圧変化を検出して、タブ外れとして異常を検出する。具体的には、制御・演算部５が、各ブロックの電圧変化を検出し、特定のブロックにおいて３分間での変化が所定値（例えば、５０ｍV）以上であり、同時時期の他ブロックの電圧変化より略２倍以上変化しているとき、タブ外れ異常と判定する。
【００３３】
次に、本実施例の制御方法について、図２のフローチャートを用いて、工程毎に説明する。ステップＳ１においては、制御手段としての充放電制御・演算部５において、上述のような異常検出があったとどうかについて、判定される。ＮＯの場合（＝異常検出がない場合）は、このようなステップＳ１の判定を周期的（例えば、２５０mSec）に繰り返すことになる。
【００３４】
ステップＳ１において、ＹＥＳの場合（＝異常検出があった場合）は、ステップＳ２において、電池１の残容量（＝ＲＣ(Remaining Capacity)）が所定値、電池１の電圧が所定値以上かが判定される。このステップＳ２の判定において、残容量が所定値以上の条件と、電圧が所定値以上の条件が、両方とも満たすａｎｄのとき、ステップＳ２をＹＥＳの判定とすることが、ヒューズＨを確実に溶断できることより、望ましい。また、残容量が所定値以上の条件と、電圧が所定値以上の条件がいずれかを満たすｏｒの条件であっても良い。
【００３５】
電圧の所定値としては、リチウムイオン電池であるなら、２．７〜３．５Ｖ/セル程度、好ましくは、約３Ｖ/セルとすることができる。電池１の残容量としては、以下の所定値が利用できる。電池１の残容量として、電流積算した値（単位ＡＨ、例えば、数mAh〜10mAhで、好ましくは５mAh）とすることもできるし、電流と電圧を積算した値（単位ｍＷＨ、例えば、３０〜１００ｍＷｈで、好ましくは、約５０ｍＷｈ）とすることができる。
【００３６】
残容量を、上述の残存率であらわすときは、約０．２〜１５％程度、好ましくは、約１０％程度に設定することができる。ステップＳ２が、ＹＥＳの場合（＝容量が所定値以上、電圧が所定値以上のとき）、ステップＳ３に進んで、ヒューズＨを溶断する。具体的には、充放電制御・演算部５から、I/O Portを介して、オン信号がスイッチング素子SWHのゲートに印加されて、スイッチング素子SWHがオン状態となり、主に電池１より、場合によっては、一部が携帯機器ＰＣ側より、電流が供給されて、加熱抵抗Ｒ、Ｒが通電して加熱して、ヒューズＨ、Ｈが熱溶断する。よって、それ以後、パック電池Ａが使用できなくなる。
【００３７】
また、ステップＳ２がＮＯの場合（＝容量が所定値未満、電圧が所定値未満のとき）、ステップＳ４において、充電中かどうかが判定される。具体的には、充放電制御・演算部５が充電電流の有無を判断して、充電中かどうかが判定される。ステップＳ４でＹＥＳ（＝充電中）と判定された場合は、図２のフローを繰り返し、ステップＳ２の条件（＝容量が所定値以上、電圧が所定値以上のとき）を満たすまで、充電されることになる。ステップＳ４がＮＯの場合（＝充電中でない）、ステップＳ５に進んで、パック電池Ａから携帯機器ＰＣに充電の要求信号を送る処理等により、携帯機器ＰＣより電力供給を受けて、充電を開始する。ステップＳ５により、充電が開始され、図２のフローが周期的に繰り返すことより、ステップＳ１で異常状態と判定されるとき、ステップＳ２の条件（＝容量が所定値以上、電圧が所定値以上のとき）を満たすまで、充電されることになる。
【図面の簡単な説明】
【００３８】
【図１】本発明の一実施例のパック電池の回路ブロック図である。
【図２】本発明の一実施例のフローチャートである。
【符号の説明】
【００３９】
Ａ  電池パック
ＰＣ  携帯機器（＝電子機器）
Ｓ  制御・電源手段
Ｌ  負荷
ＭＰＵ  マイクロプロセッサユニット
１  電池
２  抵抗（電流検出部）
３  温度検出部
４  Ａ／Ｄ変換部
５  制御・演算部
７  制御素子      ７１  充電用FET素子    ７２  放電用FET素子
９通信部
Ｈ  ヒューズ
Ｒ  加熱抵抗
ＳＷＨ  スイッチング素子
【図１】
0004509040.tif 000002
【図２】
0004509040.tif 000003